(57)【要約】      （修正有）【課題】アレンジメントやメンテナンスを簡便に行うことができる人工植物および人工植物設置システムを提案する。【解決手段】人工植物１は、複数の本体部１１および１つの基部１３を備える。本体部１１は植物を模した形状であり、茎部分１１ａの内部には屈曲可能なワイヤー１７が収容されている。基部１３は樹脂部分１３ａと磁石１５とを有している。基部１３の上方には上端に開口を有する複数の差込穴１９が形成されている。また基部１３の下端には平面形状の下面２１が形成されている。下面２１の一部に磁石１５が露出するように配置されており、樹脂部分１３ａの下端面と磁石１５の下端面とで下面２１を構成している。ワイヤー１７の下端部が差込穴１９に挿入された状態でワイヤー１７が差込穴１９に固定される。このようにしてワイヤー１７と基部１３とが連接される。【選択図】図２
2014136843.tif 000002
【特許請求の範囲】
【請求項１】
屈曲可能な軸部材を有し、植物を模した形状である本体部と、
前記軸部材の一端と連接しており、略平面形状の取付対象物と密着する取付平面が形成された基部と、を備え、
前記基部は、前記取付平面と前記取付対象物とを着脱可能に固定する固定手段を有する
ことを特徴とする人工植物。
【請求項２】
前記固定手段は磁石である
ことを特徴とする請求項１に記載の人工植物。
【請求項３】
前記取付平面は、前記磁石における前記取付対象物と対向する領域よりも広く形成されている
ことを特徴とする請求項２に記載の人工植物。
【請求項４】
前記基部には差込穴が形成されており、前記軸部材の一端が前記差込穴に挿入された状態で前記軸部材が前記差込穴に固定されている
ことを特徴とする請求項１から請求項３のいずれか１項に記載の人工植物。
【請求項５】
前記基部は、前記差込穴が形成された部分が、前記取付平面が形成された部分に対して角度を変更可能に構成されている
ことを特徴とする請求項４に記載の人工植物。
【請求項６】
前記基部は前記固定手段を複数有する
ことを特徴とする請求項１から請求項５のいずれか１項に記載の人工植物。
【請求項７】
前記基部は略平板状に形成されている
ことを特徴とする請求項６に記載の人工植物。
【請求項８】
請求項１から請求項７のいずれか１項に記載の人工植物と、
前記固定手段によって前記人工植物を着脱可能に構成された略平面形状の取付対象物と、を備える
ことを特徴とする人工植物設置システム。
【発明の詳細な説明】
【技術分野】
【０００１】
本発明は、造花や人工観葉植物などの人工植物に関する。
【背景技術】
【０００２】
近年、オフィスビル・商業施設・店舗など、さまざまな空間において壁面緑化が行われている。壁面緑化は緑化面積の確保や植物を使ってデザインした壁面ディスプレイなど、その用途が拡大している。
【０００３】
植物を育成するためには、光、水、温度を充足させる必要があり、そして設備として給水、排水、電源、建物構造強度などを充足させる必要がある。また衛生面の問題もあり、生きた植物を維持管理しながら壁面で植物を育成することは困難な場面も多かった。また植物を育成するためのシステムおよびそれを固定する躯体などの設置は大がかりな工事を必要とする場合もあった。
【０００４】
このような問題を解消するために、壁面緑化に造花を使う場合がある。その設置工法は、壁面に取り付けられた発泡スチロールなど発泡材からなるベースに、造花の茎部分を必要な長さに切り取って挿し込み、接着剤などを使って固定するというものである。しかしながら、造花に接着剤を付けて差し込むため一度茎を挿し込むと挿し直しが困難であるため、その作業はフラワーデザイナーなど熟練した技術を持った者でないと難しかった。
【０００５】
また、造花により緑化した壁面のメンテナンスや模様替えなど造花の入れ替えが必要な場合には、ベースの発泡材から取り換える必要があった。さらに、一度使用した造花は、ベースに挿し込む際に茎を適宜カットしているための再利用が困難であった。
【０００６】
従来、ベースへの挿し込み以外の手法で壁面に取り付けることが可能な植物として、プリザーブドフラワーやドライフラワーに磁石を取り付けたマグネット付フラワーが提案されている（特許文献１参照）。
【先行技術文献】
【特許文献】
【０００７】
【特許文献１】登実−３１２８２７９号公報
【発明の概要】
【発明が解決しようとする課題】
【０００８】
特許文献１に記載のマグネット付フラワーは、壁面に取り付けた後において、茎を変形させることにより植物の配置や配列を変えること、即ちアレンジメントすることが難しかった。
【０００９】
本発明の目的は、アレンジメントやメンテナンスを簡便に行うことができる人工植物および人工植物設置システムを提案することである。
【課題を解決するための手段】
【００１０】
上述した問題を解決するためになされた請求項１に記載の発明は、屈曲可能な軸部材を有し、植物を模した形状である本体部と、上記軸部材の一端と連接しており、略平面形状の取付対象物と密着する取付平面が形成された基部と、を備え、当該基部は上記取付平面と上記取付対象物とを着脱可能に固定する固定手段を有することを特徴とする人工植物である。
【００１１】
このように構成された人工植物は、固定手段により取付対象物に着脱可能に固定できるため、発泡材などのベースに茎を挿し込んで固定する必要がなく、人工植物の配置の修正や変更、メンテナンスのための取り外しを簡便に行うことができる。また軸部材が屈曲可能に構成されているため、その軸部材を屈曲させることでさらにデザインの自由度を高めることができる。
【００１２】
即ち、本発明の人工植物は取付対象物に対する着脱が非常に簡便であり、また取付対象物に固定した状態であっても軸部材を屈曲させることにより植物の配置変更を容易に実現できるため、メンテナンスやアレンジメントを簡便に行うことができる。
【００１３】
なお、取付対象物はその全てが略平面形状である必要はなく、少なくとも取付平面が密着する部分が略平面形状であればよい。
上述した軸部材としては、例えば金属製のワイヤーを用いることができるが、これに限定されることはなく、屈曲可能である様々な構成を採用することができる。なお軸部材は植物の茎、枝、幹、および草など芯材として用いることが考えられる。
【００１４】
上述した固定手段としては、例えば磁石を用いることができる。その場合には取付対象物として磁石が引き寄せる材質、例えばスチールの板などを用いることができる。また、磁石が取り付けられる場所であれば様々な場所に対して人工植物を設置することができる。
【００１５】
固定手段として磁石を用いる場合には、取付平面を、磁石における取付対象物と対向する領域よりも広く形成してもよい。このように構成された人工植物では、基部を掴んで取付平面の一端が取付対象物から離れるように力を加えることで、梃の原理を利用して小さい力で基部を取付対象物から取り外すことができ、取り外しやすさを向上させることができる。これは磁石の磁力が大きいときほど有利である。
【００１６】
また、基部と取付対象物との接触面積が大きくなることから、人工植物を安定して取り付けることができるようになる。
なお、固定手段は磁石に限られるものではなく、例えば面ファスナー、粘着固定シートなどを用いることもできる。
【００１７】
ところで、本発明の人工植物は取付対象物に基部を取り付けた状態で軸部材を屈曲させることができるため、その屈曲作業中に軸部材が基部から脱落しないように、軸部材が基部と強固に連結されていることが望ましい。上記特許文献１のマグネット付きフラワーではマグネットと花部分を直接接合しており、接合面が小さくなりやすく十分な接合強度を得ることが難しい。
【００１８】
そこで、本発明の人工植物は、上記基部に差込穴が形成されており、上記軸部材の一端が上記差込穴に挿入された状態で上記軸部材が上記差込穴に固定されているように構成してもよい。
【００１９】
このように構成された人工植物であれば、基部と本体部との連結が強固になるため軸部材を屈曲させた際に軸部材が基部から外れてしまうことを抑制できる。なお、軸部材を差込穴に差し込んだ状態で接着剤で固定したり樹脂でコーティングしたり、加熱により基部と本体部とを溶着させたりすることにより、軸部材が差込穴から容易に抜けないようにするとよい。
【００２０】
なお上述した差込穴は基部に複数設けられていてもよい。その場合、それぞれの差込穴には同一の植物を模した本体部を差し込むだけでなく、異なる植物を模した本体部を差し込むことができる。なお上記特許文献１のマグネット付きフラワーのようにマグネットと花部分を直接接合する構成では複数の花部分を強固に固定することは困難であった。
【００２１】
また上記基部は、上記差込穴が形成された部分が、上記取付平面が形成された部分に対して角度を変更可能に構成されていてもよい。
このように構成された人工植物は、差込穴が形成された部分の角度を変えることでアレンジメントが可能となり、アレンジメントの自由度を高めることができる。
【００２２】
また上記基部は、固定手段を複数有するように構成されていてもよい。このように構成することで、固定手段の位置や固定強度の調整を自在に行うことができるようになる。またこの場合、基部を略平板状に形成してもよい。このように構成された基部には多くの本体部を連接することが可能となる。
【００２３】
なおここで言う略平板状とは、基部全体として概ね平面方向への広がりを有する形状であればよく、例えば格子状に柱や板が組み合わされて形成されたものであってもよい。
請求項８に記載の発明は、請求項１から請求項７のいずれか１項に記載の人工植物と、上記固定手段によって人工植物を着脱可能に構成された略平面状の取付対象物と、を備えることを特徴とする人工植物設置システムである。
【００２４】
このように構成された人工植物設置システムは、請求項１から請求項７に記載の人工植物を適切に設置することができる。
【図面の簡単な説明】
【００２５】
【図１】人工植物設置システムを示す図である。
【図２】図２（Ａ）が人工植物を説明する図であり、図２（Ｂ）が人工植物を分解した状態を示す模式図である。
【図３】図３（Ａ）が基部の平面図であり、図３（Ｂ）が基部の底面図である。
【図４】基部の変形例を示す図である。
【図５】基部の変形例を示す図である。
【図６】変形例の基部を用いた人工植物の角度変更を説明する図である。
【図７】基部の変形例を示す図であり、図７（Ａ）が平面図であり、図７（Ｂ）が正面図であり、図７（Ｃ）が側面図であり、図７（Ｄ）が底面図であり、図７（Ｅ）が（Ａ）のＢ−Ｂ断面図である。
【図８】変形例の基部を用いた人工植物の角度変更を説明する図である。
【発明を実施するための形態】
【００２６】
以下に本発明の実施形態を図面と共に説明する。
［実施例］
（１）全体構成
本実施例の人工植物設置システムを図１に示す。人工植物設置システムは人工植物１と、人工植物１を取り付ける壁面３に設けられた平面形状のスチール板５と、を備える。人工植物１は、その基部１３によってスチール板５に固定されている。スチール板５が本発明における取付対象物の一例である。なお以降の記載で用いる上下の方向は、説明の便宜上用いただけのものであって、使用時の方向などを制限するものではない。
【００２７】
人工植物１の全体図を図２（Ａ）に示す。また人工植物１の分解図を図２（Ｂ）に示す。人工植物１は、複数の本体部１１および１つの基部１３を備える。図３（Ａ）は基部１３の平面図を示しており、図３（Ｂ）は基部１３の底面図を示している。
【００２８】
本体部１１は、図２（Ｂ）に示すように、植物を模した形状である。本体部１１の茎部分１１ａの内部にはワイヤー１７が収容されている。ワイヤー１７が本発明における軸部材の一例である。ワイヤー１７は屈曲可能であるため、茎部分１１ａを自在に変形させることができる。茎部分１１ａの表面および葉部分１１ｂは合成樹脂で形成されている。
【００２９】
図２（Ｂ）に示す基部１３は、図３（Ａ）のＡ−Ａ断面図である。基部１３は樹脂部分１３ａと磁石１５とを有している。基部１３の上方には上端に開口を有する複数の差込穴１９が形成されている。また基部１３の下端には平面形状の下面２１が形成されている。下面２１の一部に磁石１５が露出するように配置されており、樹脂部分１３ａの下端面と磁石１５の下端面とで下面２１を構成している。この下面２１が本発明における取付平面の一例である。
【００３０】
差込穴１９にはワイヤー１７の下端部（茎部分１１ａの下端部）が挿入可能であり、ワイヤー１７の下端部が差込穴１９に挿入された状態でワイヤー１７が差込穴１９に固定される。このようにしてワイヤー１７と基部１３とが連接される。なおワイヤー１７と基部１３との固定は接着剤を差込穴１９に注入することにより行う。
【００３１】
図１に示すように基部１３をスチール板５に取り付けた状態においては、下面２１がスチール板５と密着し、磁石１５がスチール板５を引き寄せることにより下面２１とスチール板５とが着脱可能に固定される。
【００３２】
磁石１５は、図２（Ｂ）および図３（Ｂ）に示すように、その下端面以外の周囲（側方の周囲）が樹脂部分１３ａによって覆われている。即ち、下面２１は磁石１５におけるスチール板５と対向する領域よりも広く形成されている。
【００３３】
（２）作用・効果
本実施例の人工植物設置システムにおいて用いられる人工植物１は、磁石１５によりスチール板５に着脱可能に固定できるため、人工植物１の配置の修正や変更、メンテナンスのための取り外しを簡便に行うことができる。
【００３４】
また、茎部分１１ａが屈曲可能に構成されているため、その茎部分１１ａを屈曲させることでさらにデザインの自由度を高めることができる。
また、基部１３は下面２１にてスチール板５と密着しており、この下面２１は磁石１５よりも広く形成されている。そのため、人工植物１をスチール板５から取り外す際には、基部１３を掴んで下面２１の一端がスチール板５から離れるように力を加えることで、梃の原理を利用して小さい力で取り外すことができる。これは磁石１５の磁力が大きいときほど有利である。
【００３５】
このように本実施例の人工植物設置システムでは、人工植物１はスチール板５に対する着脱が非常に簡便であり、また取り付けた状態において茎部分１１ａを屈曲させることによる植物の配置変更が容易であるため、メンテナンスやアレンジメントを簡便に行うことができる。
【００３６】
また本実施例の人工植物１は差込穴１９にワイヤー１７を差し込んで固定していることから、基部１３と本体部１１との固定が強固になるため茎部分１１ａを屈曲させても基部１３から外れることが抑制できる。
【００３７】
［変形例］
以上本発明の実施例について説明したが、本発明は、上記実施例に何ら限定されることはなく、本発明の技術的範囲に属する限り種々の形態をとり得ることはいうまでもない。
【００３８】
例えば、上記実施例においては、固定手段として磁石を用いる構成を例示したが、面ファスナーや粘着固定シート（粘着性および弾性を有するシート状の樹脂部材）などを用いてもよい。基部が取り付けられる取付対象物としては、採用した固定手段によって着脱が可能であるものを利用できる。例えば固定手段が磁石の場合、上記実施例のようにスチール板に限定されることはなく、磁石が取付可能な様々なものを使用することができる。
【００３９】
また磁石１５が直接スチール板５に接触する構成を例示したが、磁石１５の表面が樹脂などで覆われていて、スチール板５と直接接触しない構成としてもよい。
また、磁石１５はその下端面以外の周囲が樹脂部分１３ａによって覆われている構成を例示したが、磁石１５の周囲の一部が樹脂部分１３ａに覆われていない構成、換言するとスチール板５から見て下面２１の外縁の一部を磁石１５が形成する構成であってもよい。
【００４０】
また、基部１３の差込穴１９には同一の本体部１１を差し込む構成を例示したが、複数の異なる形状の本体部を差し込む構成であってもよい。
また、差込穴１９への本体部１１の固定は接着剤で行う構成を例示したが、樹脂でコーティングしたり、加熱によりワイヤー１７と基部１３とを溶着させたりすることにより固定を実現してもよい。
【００４１】
また、差込穴１９は基部１３に一体成形されている構成を例示したが、図４（Ａ），（Ｂ）に示す基部４１のように、２つ以上の部品に分解可能に構成されていてもよい。基部４１は第１部材４３と第２部材４５とからなる。第１部材４３には磁石１５が設けられて下面２１が形成されており、第２部材４５には差込穴１９が複数形成されている。
【００４２】
そして第１部材４３には溝部４７が形成され、第２部材４５には柱部４９が形成され、溝部４７に柱部４９を挿入することで第１部材４３と第２部材４５とが組み付けられる。第２部材４５は異なる形状のものに差し替え可能に構成してもよく、例えば図４（Ｃ）に示す第２部材４５ａのように差込穴１９の数が異なるものに差し替えることもできる。なお溝部４７に挿入された柱部４９は、接着剤やネジなどで固定してもよい。
【００４３】
上記第２部材４５，４５ａは、差込穴１９の開口が上方のみでなく斜め方向や側方に向くように形成されており、このように構成することで本体部１１を様々な方向に向けて配置することができる。なお、実施例に示した基部１３においても、差込穴１９の開口の方向（差込穴１９の方向）を上記第２部材４５，４５ａのように斜め方向や側方に向けて形成してもよい。
【００４４】
また、上述したように基部を第１部材と第２部材に分ける場合、差込穴１９が形成された第２部材が、下面２１（取付平面）が形成された第１部材に対して角度が変更可能となるように構成されていてもよい。
【００４５】
具体例を図５（Ａ），（Ｂ）に示す。基部６１は第１部材６３と第２部材６５とからなる。第１部材６３には磁石１５が設けられて下面２１が形成されており、第２部材６５には差込穴１９が複数形成されている。また第１部材６３と第２部材６５とは両端が球状体６７である連結部材６９によって連結されている。第１部材６３および第２部材６５はいずれも球状体６７が嵌め込まれて球状体６７を中心として回転変位可能となっている。
【００４６】
そのため、図５（Ｂ）に示すように、第１部材６３に対して第２部材６５を傾けることができる。その結果、図６に示す人工植物１ｂのように、人工植物１ａと同様の状態から第２部材を傾斜させることで本体部全体を傾斜させることができるようになる。
【００４７】
また、図７（Ａ）〜（Ｅ）に示すように、基部８１は略平板状に構成されていてもよい。基部８１は、外縁に形成される矩形の筒状の側面部８３と、側面部８３の内側の上下端部において２層に設けられる柱部８５（上側の柱部８５ａ、下側の柱部８５ｂ）とを有している。各柱部８５は格子状に形成されている。
【００４８】
柱部８５ａを構成する柱の交点、および柱部８５ａと側面部８３との連結点には差込穴８７が形成されており、上記実施例の差込穴１９と同様に本体部１１を差し込んで固定することができる。また磁石８９が複数配置されている。この磁石８９と下側の柱部８５ｂにより取付対象物と密着する取付平面が形成される。
【００４９】
この基部８１は側面部８３と柱部８５によって全体として略平板状に構成されているが、上記構成に限定されることなく、例えば隙間の無い平板状としてもよい。また平面形状が矩形に限定されることはなく、円形としたり、設置場所に合せた様々な形状とすることができる。
【００５０】
図８（Ａ）に示すように、このような基部８１を用いた人工植物９１は平面上に複数の本体部１１が連結されてなる。この人工植物９１を図８（Ｂ）に示すようにスチール板やスチールシート等が配置された壁面９３に取り付けることで、多数の本体部を一度に設置することができる。
【符号の説明】
【００５１】
１，１ａ，１ｂ…人工植物、３…壁面、５…スチール板、１１…本体部、１３…基部、１５…磁石、１７…ワイヤー、１９…差込穴、２１…下面、４１…基部、４３…第１部材、４５…第２部材、４５ａ…第２部材、４７…溝部、４９…柱部、６１…基部、６３…第１部材、６５…第２部材、６７…球状体、６９…連結部材、８１…基部、８３…側面部、８５…柱部、８７…差込穴、８９…磁石、９１…人工植物、９３…壁面
【図３】
2014136843.tif 000003
【図４】
2014136843.tif 000004
【図５】
2014136843.tif 000005
【図１】
2014136843.tif 000006
【図２】
2014136843.tif 000007
【図６】
2014136843.tif 000008
【図７】
2014136843.tif 000009
【図８】
2014136843.tif 000010